(57)【要約】【課題】小型軽量化が保持されるとともに機器本体の取付部に対して強固な取り付けを可能とする。【解決手段】取付パネル６に取付ねじ７によりねじ止めされるケース体２の取付外側面部５に重なり合わされるアッパケース３とロアケース４のに形成された係止外周部１６、２３に取付外側面部５側の取付孔１０，１１，１３と連通される取付孔１８，２０，２５を有する受け面部１７，１９，２４を一体に形成する。各受け面部１７，１９，２４は、取付パネル６に重なり合わされて同一面となる取付部を構成する。【選択図】　　図１
2004119425.tif 000002
【特許請求の範囲】
【請求項１】
金属薄板により少なくとも上面部と底面部とが開放されて形成さたケース本体と、金属薄板により前記ケース本体の上面部を閉塞するに足る外形の天井部とこの天井部の外周部に折曲形成された係止外周部とが一体に形成されたアッパケースと、金属薄板により前記ケース本体の底面部を閉塞するに足る外形の底板部とこの底板部の外周部に折曲形成された係止外周部とが一体に形成されたロアケースとを備え、前記ケース本体に対して前記アッパケースと前記ロアケースとが、それぞれ開放された上面部と底面部とを閉塞するとともに外側面部にそれぞれの前記係止外周部が係止されて組み合わされることによって構成されて所定の外側面部を機器本体の取付部に重ね合わされて複数箇所で取付ねじがねじ込まれて固定されてなり、
前記ケース体の取付外側面部に係止される前記アッパケースと前記ロアケースの少なくとも一方の前記係止外周部に、前記取付外側面部に形成された取付孔と連通される取付孔を有する受け面部が一体に形成され、前記受け面部が前記機器本体の取付部と前記ケース体の取付外側面部との間に介在された状態で前記取付ねじがねじ込まれて取付が行われることを特徴とするシールドケース。
【請求項２】
前記受け面部が、前記アッパケースと前記ロアケースとに、前記ケース体の取付外側面部の中心に対して略対称の側方位置にそれぞれ形成されることを特徴とする請求項１に記載のシールドケース。
【請求項３】
前記ケース本体の取付外側面部に、その略中央部の上縁に取付孔を有する取付凸部が一体に突出形成されるとともに、前記アッパケースの係止外周部に前記取付凸部と重ね合わされる第２の受け面部が一体に突出形成されることを特徴とする請求項１又は請求項２に記載のシールドケース。
【発明の詳細な説明】
【０００１】
【発明の属する技術分野】
本発明は、受信機やオーディオ機器等に備えられる電子チューナ装置等のシールドケースに関する。
【０００２】
【従来の技術】
電子チューナ装置は、受信機やオーディオ機器等に備えられるが、電子部品や集積回路素子等を実装した配線基板或いは電子部品等が電磁波の影響を受けずに安定した状態で動作するようにシールドケースに内装される。シールドケースには、信号ケーブルを接続する多ピンコネクタ等が組み付けられるとともに、機器本体のパネルに取り付ける。従来のシールドケース５０は、図３及び図４に示すように金属薄板によって形成されたケース本体５１とアッパケース５２及びロアケース５３とを組み合わせて構成される。
【０００３】
シールドケース５０は、図４に示すようにケース本体５１の所定の外側面部５４が機器本体側の取付パネル５５に対する取付外側面部を構成し、取付ねじ５６により取り付けられる。シールドケース５０には、内部に電子部品や集積回路素子等を実装した配線基板が組み付けられるとともに、図示しない適宜の電子部品等が収納されている。シールドケース５０には、ケース本体５１の内部に取り付けた信号入出力用の同軸ケーブルを接続する同軸コネクタ５７及び平行フィーダ線を接続するモールドコネクタ５８が、取付外側面部５４に形成した開口孔５９或いは開口部６０を介して突出される。なお、同軸コネクタ５７及びモールドコネクタ５８は、シールドケース５０を取り付けた状態において、取付パネル５５に形成した開口部から突出される。
【０００４】
ケース本体５１は、詳細を省略するが上面部と底面部とが開放されて形成されおり、図示しないが各外側面部に押出形成された係止凸部や係止孔等の係止部が形成されている。ケース本体５１は、内部空間が図示しない仕切り板等によって適宜区切られており、この仕切り板や外側面部によって配線基板や電子部品或いは同軸コネクタ５７やモールドコネクタ５８等が収納される。ケース本体５１には、取付外側面部５４の両側に位置して取付孔６１ａ、６１ｂが形成されるとともに、上縁部の略中央位置に取付凸部６２が一体に突出形成されている。取付凸部６２には、取付孔６３が形成されている。
【０００５】
アッパケース５２は、ケース本体５１の開放上面部５１ａを閉塞するに足る外形の天井部６４と、この天井部６４の外周部に沿って一体に折曲形成された係止外周部６５とからなる。アッパケース５２は、ケース本体５１に対してその開放上面部５１ａを天井部６４により閉塞するようにして組み合わされ、係止外周部６５に形成した係止部がケース本体５１側の相対する外側面部に形成された係止部と係合することによって組合せ状態が保持される。
【０００６】
ロアケース５３も、ケース本体５１の開放底面部５１ｂを閉塞するに足る外形の底板部６６と、この底板部６６の外周部に沿って一体に折曲形成された係止外周部６７とからなる。ロアケース５３は、ケース本体５１に対してその開放底面部５１ｂを底板部６６により閉塞するようにして組み合わされ、係止外周部６７に形成した係止部がケース本体５１側の相対する外周部に形成された係止部と係合することによって組合せ状態が保持される。
【０００７】
シールドケース５０は、ケース本体５１に対してアッパケース５２とロアケース５３とが組み合わされて全体箱状に構成され、ケース本体５１の取付外側面部５４が取付パネル５５に重ね合わされる。シールドケース５０は、この状態で同軸コネクタ５７及びモールドコネクタ５８が取付パネル５５に形成した開口部から突出されるとともに、取付孔６１ａ、６１ｂ及び取付凸部６２の取付孔６３がそれぞれ取付パネル５５側に形成した取付孔６８、６９に対向される。シールドケース５０は、取付パネル５５の前方側から取付孔６８、６９に挿通された取付ねじ５６がそれぞれ取付孔６１ａ、６１ｂ及び取付孔６３にねじ込まれることによって、取付パネル５５に取り付けられる。
【特許文献】
特開２００２−２３２１８０号公報
【０００８】
【発明が解決しようとする課題】
ところで、シールドケース５０は、上述したように取付面を構成するケース本体５１の取付外側面部５４に対して、アッパケース５２側の係止外周部６５とロアケース５３側の係止外周部６７とが延在されている。また、シールドケース５０は、ケース本体５１の取付外側面部５４に、各係止外周部６５、６７が存在しない領域に取付孔６１ａ、６１ｂ、６３が形成されている。
【０００９】
シールドケース５０は、図４に示すように取付パネル５５に取り付けた状態においてこの取付パネル５５とケース本体５１の取付外側面部５４との間に各係止外周部６５、６７の厚み分の段差が構成されることによって、互いに平面接合された状態とならない。また、シールドケース５０は、上述したようにケース本体５１やアッパケース５２或いはロアケース５３が金属薄板によって形成されている。
【００１０】
したがって、シールドケース５０は、取付ねじ５６がねじ込まれて取付パネル５５に取り付けられるが、取付ねじ５６を強く締め付けた場合に、上述した段差があることでケース本体５１の取付外側面部５４が変形してしまうことがある。シールドケース５０は、取付ねじ５６を充分に締め付けることができないために不安定な状態で取り付けられることになり、衝撃や振動等が加えられた場合にショート等の発生や部品等の脱落といった不都合が発生する虞があった。
【００１１】
シールドケース５０は、例えばケース本体５１を取付ねじ５６を充分に締め付けても変形を生じさせないように厚みのある金属板によって形成するといった対応を図ることも考慮される。しかしながら、かかるシールドケース５０は、自身の重量が大きくなるとともに取付パネル５５もその重さに耐え得るに足る厚みが必要となり、装置本体の大型化、重量化を招いて実用的で無い。
【００１２】
したがって、本発明は、小型軽量化が保持されるとともに機器本体の取付部に対して強固な取り付けを可能としたシールドケースを提供することを目的としたものである。
【００１３】
【課題を解決するための手段】
この目的を達成する本発明にかかるシールドケースは、金属薄板により少なくとも上面部と底面部とが開放されて形成さたケース本体と、金属薄板によりケース本体の上面部を閉塞するに足る外形の天井部とこの天井部の外周部に折曲形成された係止外周部とが一体に形成されたアッパケースと、金属薄板によりケース本体の底面部を閉塞するに足る外形の底板部とこの底板部の外周部に折曲形成された係止外周部とが一体に形成されたロアケースとを備えてなる。シールドケースは、ケース本体に対してアッパケースとロアケースとが、それぞれ開放された上面部と底面部とを閉塞するとともに外側面部にそれぞれの係止外周部が係止されて組み合わされ、ケース本体の所定の外側面部を取付ねじにより機器本体の取付部に複数箇所で固定する。シールドケースは、ケース体の取付外側面部に係止されるアッパケースとロアケースの少なくとも一方の係止外周部に、取付外側面部に形成された取付孔と連通する取付孔を有し機器本体の取付部に重ね合わされて機器本体の取付部と同一面となる取付部を構成する受け面部が一体に形成されてなる。
【００１４】
以上のように構成された本発明にかかるシールドケースによれば、ケース体の取付外側面部に重なり合わされる少なくともアッパケースとロアケースのいずれか一方の係止外周部に形成した受け面部が機器本体の取付部に重なり合わされて機器本体の取付部と同一面となる取付部を構成し、機器本体側の取付孔と取付外側面部部の取付孔とが受け面部の取付孔を介して隙間の無い状態で連通する。したがって、シールドケースによれば、アッパケース又はロアケースの受け面部が機器本体の取付部とケース体の取付外側面部との間に介在された状態で連通された各取付孔に取付ねじがねじ込まれて取付が行われるが、取付ねじを強くねじ込んでも機器本体の取付部と同一面で固定されるケース体に変形等が生じることは無く、強固な取付が行われるようになる。
【００１５】
【発明の実施の形態】
以下、本発明の実施の形態について、図面を参照して詳細に説明する。実施の形態として示すシールドケース１は、上述した従来のシールドケース５０と基本的な構成をほぼ同様とし、図１及び図２に示すように、例えばアルミやアルミ合金等の軽量金属薄板によって形成されたケース本体２と、アッパケース３と、ロアケース４とが組み合わされてなり、例えば電子チューナを構成する。シールドケース１は、図２に示すようにケース本体２の所定の外側面部５が例えばオーディオ機器等の機器本体側の取付パネル６に対する取付外側面部を構成し、複数個の取付ねじ７によりねじ止めされて取り付けられる。
【００１６】
シールドケース１には、図示しないが内部に電子部品や集積回路素子等を実装した配線基板が組み付けられるとともに、適宜の電子部品等が収納されている。シールドケース１には、取付外側面部５に信号入出力用の同軸ケーブルを接続する同軸コネクタ８と平行フィーダ線を接続するモールドコネクタ９とが組み付けられている。なお、これら同軸コネクタ８とモールドコネクタ９は、後述するようにシールドケース１を取付パネル６に取り付けた状態において、この取付パネル６に形成した開口部からそれぞれ突出される。
【００１７】
ケース本体２は、詳細を省略するが上面部と底面部とが開放された枠体を呈して形成されおり、図示しないが各外側面部に押出形成された係止凸部や係止孔等の係止部が形成されている。ケース本体２は、内部空間が図示しない仕切り板等によって適宜区切られており、この仕切り板や外側面部によって配線基板や電子部品等が収納されるとともに同軸コネクタ８やモールドコネクタ９等が取り付けられている。勿論、ケース本体２は、枠体形状に限定されるものではないが、内部に部品を実装するために適宜開口部が設けられている。
【００１８】
ケース本体２には、取付外側面部５の長手方向の両側に位置して第１の取付孔１０と第２の取付孔１１とが形成されるとともに、上縁部の略中央位置に取付凸部１２が一体に突出形成されている。取付凸部１２には、第３の取付孔１３が形成されている。なお、ケース本体２は、図示を省略するが各取付孔１０、１１、１３の軸長を確保するように、内部に突出するようにしてバーリング加工が施されている。
【００１９】
アッパケース３は、ケース本体２の開放上面部２ａを閉塞するに足る外形の天井部１４と、ケース本体２の両外側面部及び背面部に対応する天井部１４の外周部に沿って一体に折曲形成された係止外周部１５と、ケース本体２の取付外側面部５に対応する天井部１４の外周部に沿って一体に折曲形成された係止前面部１６とからなる。各係止外周部１５は、詳細を省略するが例えば多数個の短冊片からなり、ケース本体２側の係合部に対応する長さを有して先端部に係合凸部が一体に形成されている。
【００２０】
係止前面部１６は、図１に示すように同軸コネクタ８やモールドコネクタ９にかからない高さを有しているが、取付外側面部５側の第１の取付孔１０に対応して側方の一部が延長されて第１の受け面部１７が一体に形成されている。第１の受け面部１７には、後述するようにアッパケース３をケース本体２に組み付けた状態において第１の取付孔１０と連通する第１の取付孔１８が形成されている。また、係止前面部１６には、ケース本体２側の取付凸部１２に対応して、長さ方向の略中央部の上縁に第２の受け面部１９が形成されている。第２の受け面部１９には、アッパケース３をケース本体２に組み付けた状態において取付凸部１２に形成した第３の取付孔１３と連通する第２の取付孔２０が形成されている。
【００２１】
以上のように構成されたアッパケース３は、ケース本体２に対してその開放上面部２ａを天井部１４により閉塞するようにして組み合わされ、両外側面部及び背面部に重なり合わされた係止外周部１５の各係止部がケース本体２側の相対する各係止部と係合して組合せ状態が保持される。また、アッパケース３は、この状態で係止前面部１６がケース本体２側の取付外側面部５の前面に重なり合わされるとともに、第２の受け面部１９が取付凸部１２の前面に重なり合わされる。アッパケース３は、この状態でケース本体２側の第１の取付孔１０に対して第１の取付孔１８が連通されるとともに、取付凸部１２側の第３の取付孔１３に対して第２の取付孔２０が連通される。
【００２２】
ロアケース４も、ケース本体２の開放底面部２ｂを閉塞するに足る外形の底板部２１と、ケース本体２の両外側面部及び背面部に対応する底板部２１の外周部に沿って一体に折曲形成された係止外周部２２と、ケース本体２の取付外側面部５に対応する底板部２１の外周部に沿って一体に折曲形成された係止前面部２３とからなる。各係止外周部２２も、詳細を省略するが例えば多数個の短冊片からなり、ケース本体２側の係合部に対応する長さを有して先端部に係合凸部が一体に形成されている。
【００２３】
係止前面部２３は、図１に示すように同軸コネクタ８やモールドコネクタ９にかからない高さを有しているが、取付外側面部５側の第２の取付孔１１に対応して側方の一部が延長されて第３の受け面部２４が一体に形成されている。第３の受け面部２４には、後述するようにアッパケース３をケース本体２に組み付けた状態において第２の取付孔１０と連通する第３の取付孔２５が形成されている。第３の受け面部２４は、アッパケース３側の第１の受け面部１７と略同一形状を呈するとともに、左右対称位置に形成されている。
【００２４】
以上のように構成されたロアケース４は、ケース本体２に対してその開放底面部２ｂを底板部２１により閉塞するようにして組み合わされ、両外側面部及び背面部に重なり合わされた係止外周部２２の各係止部がケース本体２側の相対する各係止部と係合して組合せ状態が保持される。また、ロアケース４は、この状態で係止前面部２３がケース本体２側の取付外側面部５の前面に重なり合わされてケース本体２側の第２の取付孔１１に対して第３の取付孔２５が連通される。
【００２５】
シールドケース１は、上述したケース本体２に対してそれぞれアッパケース３とロアケース４とが組み合わされて全体箱状に構成され、ケース本体２の取付外側面部５が取付パネル６の内面に重ね合わされる。シールドケース１は、この状態で同軸コネクタ８及びモールドコネクタ９が取付パネル６に形成した開口部から突出される。シールドケース１は、ケース本体２の取付外側面部５に、上述したようにアッパケース３の係止前面部１６とロアケース４の係止前面部２３がそれぞれ重なり合わされた状態となっている。
【００２６】
シールドケース１は、取付外側面部５の第１の取付孔１０とアッパケース３の第１の受け面部１７に形成した第１の取付孔１８とが連通するとともに、取付凸部１２の第３の取付孔１３と第２の受け面部１９に形成した第２の取付孔２０とが連通された状態にある。シールドケース１は、取付外側面部５の第２の取付孔１１とロアケース４の第３の受け面部２４に形成した第３の取付孔２５とが連通した状態にある。シールドケース１は、ケース本体２の取付外側面部５を取付パネル６の内面に重ね合わせた状態で、第１の取付孔１０と第２の取付孔１１及び第３の取付孔１３がそれぞれ取付パネル６に形成した第１の取付孔２６乃至第３の取付孔２８（但し、第３の取付孔２８は図示されていない。）と連通される。
【００２７】
シールドケース１は、この状態で取付パネル６の前面側から第１の取付孔２６乃至第３の取付孔２８にそれぞれ取付ねじ７がねじ込まれることによって、取付パネル６に固定される。シールドケース１は、上述したように取付ねじ７によるねじ止め位置においてケース本体２の取付外側面部５の前面に、アッパケース３側の第１の受け面部１７と第２の受け面部１９とが重なり合わされるとともに、ロアケース４側の第３の受け面部２４が重なり合わされている。シールドケース１は、取付パネル６の第１の取付孔２６乃至第３の取付孔２８に対して取付外側面部５側の各取付孔１０、１１、１３が隙間の無い状態で連通される。
【００２８】
シールドケース１は、かかる構成により第１の受け面部１７、第２の受け面部１９及び第３の受け面部２４を介して取付面が実質的に同一面を構成して取付パネル６に対してねじ止め固定されることになる。したがって、シールドケース１は、取付ねじ７を強くねじ込んでもケース本体２の取付外側面部５に変形を生じることは無く、取付パネル６に対して強固に固定される。シールドケース１は、機器本体に衝撃や振動等が加えられた場合でもショート等の発生や部品等の脱落といった不都合が防止される。
【００２９】
シールドケース１は、上述したようにケース本体２の取付外側面部５に、互いに同一形状に形成されたアッパケース３側の第１の受け面部１７とロアケース４側の第３の受け面部２４とが中心に対して対称の側方に位置してそれぞれ重なり合わされている。したがって、シールドケース１は、取付ねじ７がねじ込まれて取付パネル６に固定される際に、ケース本体２に対するアッパケース３とロアケース４の組合せ状態が安定に保持されてシールド作用が損なわれるといった不都合の発生が防止される。
【００３０】
なお、上述したシールドケース１は、ケース本体２の取付外側面部５に同軸コネクタ８やモールドコネクタ９を設けた電子チューナの適用例を示したが、各種のシールドケースに適用されることは勿論である。シールドケース１は、ケース本体２の取付外側面部５に対してアッパケース３とロアケース４に一体に形成した第１の受け面部１７と第２の受け面部１９及び第３の受け面部２４とを重ね合わせるように構成したが、例えばケース本体２が底面部も一体化された構造である場合には、アッパケース３にのみ受け面部が形成される。
【００３１】
【発明の効果】
以上詳細に説明したように、本発明にかかるシールドケースによれば、ケース体の取付外側面部に重なり合わされる少なくともアッパケースとロアケースのいずれか一方の係止外周部に機器本体の取付部に重なり合わされてその取付部と同一面となる取付部を構成する受け面部が形成されることにより、取付ねじを強くねじ込んでも機器本体の取付部と同一面で固定されるケース体に変形等が生じることは無く、強固な取付が行われるようになる。
【図面の簡単な説明】
【図１】本発明の実施の形態として示すシールドケースの要部正面図である。
【図２】同シールドケースの要部縦断面図である。
【図３】従来のシールドケースの要部正面図である。
【図４】同シールドケースの要部縦断面図である。
【符号の説明】
１　　　シールドケース
２　　　ケース本体
３　　　アッパケース
４　　　ロアケース
５　　　取付外側面部
６　　　取付パネル
７　　　取付ねじ
１０　　第１の取付孔
１１　　第２の取付孔
１２　　取付凸部
１３　　　　第３の取付孔
１４　　天井部
１５　　係止外周部
１６　　係止前面部
１７　　第１の受け面部
１８　　第１の取付孔
１９　　第２の受け面部
２０　　第２の取付孔
２１　　底板部
２２　　係止外周部
２３　　係止前面部
２４　　第２の受け面部
２５　　第３の取付孔
【図１】
2004119425.tif 000003
【図２】
2004119425.tif 000004
【図３】
2004119425.tif 000005
【図４】
2004119425.tif 000006